(57)【要約】      （修正有）【課題】ふとんとしても、クッションとしても使用でき、かつ容易に小さく収納でき、持ち運びの利便を図るふとんを提供する。【解決手段】ふとん内部に自らを収納するための袋が取り付けられており、ふとんとして使用しない時はふとんがその袋に小さく収納されクッションとして使用でき、かつふとんとして使用する時は、その袋がふとんの中に内包される。【選択図】図１
0003109738.tif 000002
【実用新案登録請求の範囲】
【請求項１】
人が主に休息するために用いるふとん内部に、自らを収納するための袋が取り付けられており、ふとんとして使用しない時はふとんがその袋に小さく収納されクッションとして使用でき、またふとんとして使用する時は、その袋がふとんの中に内包されることを特徴とするふとん。
【考案の詳細な説明】
【技術分野】
【０００１】  本考案は人が主に休息するために用いるふとんに関する。
【背景技術】
【０００２】  従来、ふとんは使用しない時は押し入れなどにたたんで収納しておき、使用するときは押し入れなどから取り出して広げて使用するのが通例である。また、クッションは居室内などに置いておき、尻の下に敷いたり腰にあてるなどして使用するのが通例である。しかるに、ふとんとクッションは別々のものというのが、公知である。
【考案の開示】
【考案が解決しようとする課題】
【０００３】  しかるに、考察すれば、ふとんもクッションもその中には水鳥の羽毛や木綿、ポリエルテル、羊毛などのわたが充填されており、用途と形状によって別々のものとされていたわけである。これはふとんを折りたたんでその上に座ろうとしても、羽毛やわたの復元力によって身体が安定せず、またクッションを身体の上に置いて睡眠しようとしても大きさが足らず十分な保温効果は得られない。【０００４】  一方では、昨今の住宅事情を鑑みると、ふとんを収納する押し入れ等も狭く、また居室内にはさまざまな物が溢れている場合も十分考えられる。あるいは、地震や水害などで本来の住居で暮らすことができず、たとえば避難所等での生活を余儀なくされた場合でも、寝具類の不足が取りざたされている。緊急の時にかさばるふとんを抱えて避難することは容易ではないと思料される。しかるに、多用途に利用でき、かつ収納や持ち運びが簡便なふとんの考案が求められている。【０００５】  従前から、ふとんを収納するための袋を同梱して販売する商品は存在した。しかしながら、いざ収納する段になってその袋が紛失していたり、袋への収納が困難を極めたり、収納されても単にふとんを仕舞っておくだけのものであったりして、実際のところ役に立つものはなかった。【０００６】  本考案はこのような実情に鑑みてなされ、ふとんとしても、クッションとしても使用でき、かつ容易に小さく収納でき、持ち運びの利便を図るふとんを提供することを目的としている。
【課題を解決するための手段】
【０００７】  人が主に休息するために用いるふとん内部に、自らを収納するための袋が取り付けられており、ふとんとして使用しない時はふとんがその袋に小さく収納されクッションとして使用でき、またふとんとして使用する時は、その袋がふとんの中に内包されることを特徴とするふとんを考案し、課題を解決するための手段とした。
【考案の効果】
【０００８】  本考案によれば、ふとんからクッションに、クッションからふとんに簡単に形状を変えることができる。本来のふとんと同様に休息する時に身体に掛けて使用することができ、また、本来のクッションと同様に尻の下に敷いたり腰にあてるなどして使用することができる。またクッションはふとんの状態よりも小さくなるので居室内に置いておいても邪魔にならず、持ち運びも簡便である。
【考案を実施するための最良の形態】
【０００９】  本品は上下の二つの層からなるふとんと、収納のための袋と、ふとんと袋を縫い合わせたふとんの外周に接する部分に取り付けられたファスナーが一体となって構成されており、ふとんの形状からは、ふとんを袋の中に入れてファスナーを閉じればクッションとなり、またクッションの形状からは、ファスナーを開けふとんを取り出し、ふとんの中に袋を収めてファスナーを閉じればふとんとなるというものである。
【実施例】
【００１０】  以下に本考案の実施例を図面に基づいて詳細に説明する。図１は本考案のふとん１の構成を示す。２および３は上下の二つの層からなるふとん、４は収納のための袋、５はファスナー、６および７はファスナーに付属しているつまみである。図２は２，３，４，５が外周に沿って縫合された状態を示す。【００１１】  図３、図４、図５は、考案実施の様子を示す。図２のふとんの状態にあって、図５のクッションにしようとする場合について説明する。まず、図３の如くつまみ６を持ちファスナー５を開き、ふとん２および３全体をたぐり寄せるようにしてファスナー５の方に集める。すると図４の如く、袋４はその開口部以外はふとん２および３と固定されていないので、たぐり寄せられたふとんによって開口部から外部に裏返るように出てくる。結局ふとん２および３は図５の如くすべて袋４の中に収めることができる。ファスナー５には開閉のためのつまみが表裏についていて、これは一般に両面スライダーとか、リバーシブルスライダーなどと呼ばれているが、先程使用しなかったつまみ７がこの時表側に現れるのでこれを用いてファスナーを閉じる。これにより、図５のクッションの形状になるわけである。【００１２】  次に図５のクッションの状態にあって、図２のふとんにしようとする場合について説明する。手順は上述の逆であるが、まず、図４の如くつまみ７を持ちファスナー５を開き、袋４からふとん２および３を掻き出すようにして出して行く。すると図３の如く、袋４はその開口部以外はふとん２および３と固定されていないので、掻き出されたふとんは袋４の開口部から外部に出すことができる。ふとん２および３が全部出てきたら、残った袋４は裏返すようにしてふとん２とふとん３の間に収め、つまみ６を用いてファスナーを閉じる。これにより、図２のふとんの形状になるわけである。
【産業上の利用可能性】
【００１３】  なお、本考案はふとんの大きさを幅１５０センチメートル、長さ２１０センチメートル、袋の大きさを幅６０センチメートル、長さ６０センチメートル、ファスナーの長さを５０センチメートル、ふとんの中身は水鳥の羽毛として考案したが、ふとんの大きさ、袋の大きさ、ファスナーの長さ、ふとんの中身についてはその用途に応じて適宜変更できる。
【図面の簡単な説明】
【００１４】
【図１】本考案の構成を示した斜視図である。
【図２】本考案のふとんの状態を示した斜視図である。
【図３】形状を変える途中段階を示した斜視図である。
【図４】形状を変える途中段階を示した斜視図である。
【図５】本考案のクッションの状態を示した斜視図である。
【符号の説明】
【００１５】１  本考案のふとん
２  ふとんを構成する二つの層の一方
３  ふとんを構成する二つの層の一方
４  収納するための袋
５  開口部に取り付けるファスナー
６  ファスナーを開閉するための二つのつまみの一方
７  ファスナーを開閉するための二つのつまみの一方
【図１】
0003109738.tif 000003
【図２】
0003109738.tif 000004
【図３】
0003109738.tif 000005
【図４】
0003109738.tif 000006
【図５】
0003109738.tif 000007